(57)【要約】【課題】外部の機器と情報の送受信を行うことが可能な手元ハンドル体を有する電気掃除機を提供すること。【解決手段】課題を解決するには、内部に電動送風機を設けた本体と、一端が前記本体に接続される吸引ホースと、この吸引ホースの他端に取り付けられる手元ハンドル体を有する電気掃除機において、手元ハンドル体には、外部機器と非接触で通信を行う通信手段が設けるように構成すればよい。また、手元ハンドル体は、塵埃を含む気流の風路となる管体と、この管体から分岐し把持部を形成する分岐部を有し、通信手段は、管体の吸込側開口から前記分岐部に至る位置に設けるとよい。【選択図】図１
2015146957.tif 000002
【特許請求の範囲】
【請求項１】
内部に電動送風機を設けた本体と、一端が前記本体に接続される吸引ホースと、前記吸引ホースの他端に取り付けられる手元ハンドル体を有する電気掃除機において、
前記手元ハンドル体には、外部機器と非接触で通信を行う通信手段が設けられたことを特徴とする電気掃除機。
【請求項２】
前記手元ハンドル体は、塵埃を含む気流の風路となる管体と、該管体から分岐し把持部を形成する分岐部を有し、
前記通信手段は、前記管体の吸込側開口から前記分岐部に至る位置に設けられることを特徴とする請求項１に記載の電気掃除機。
【請求項３】
前記手元ハンドル体は、前記管体上面を被う上面カバーを有し、
前記通信手段は、前記管体の上面に載せられ、上方より前記上面カバーで被うことにより取り付けられることを特徴とする請求項２に記載の電気掃除機。
【請求項４】
前記通信手段は、
基板と、該基板面に形成された通信アンテナと、外部機器との間で送受信するデータを処理する集積回路と、他の部位と電気的に接続するためのコネクタを有し、
前記基板の前記通信アンテナが形成されている面とは反対側の面に、前記コネクタが設けられ、
前記基板の前記通信アンテナが形成されている面を外方に向けて、前記手元ハンドル体に設けられることを特徴とする請求項１〜請求項３に記載の電気掃除機。
【請求項５】
前記手元ハンドル体は、塵埃を含む気流の風路となる管体と、該管体から分岐し把持部を形成する分岐部を有し、
前記分岐部には操作スイッチが実装された操作基板が設けられ、前記通信手段と前記操作基板が接続されることを特徴とする請求項１に記載の電気掃除機。
【請求項６】
前記手元ハンドル体の吸込側には、延長管を介して吸込口体が接続可能であり、
前記吸込口体には、回転ブラシと、該回転ブラシを回転駆動する電動機が設けられ、
前記管体には、前記電動機に電力を供給するリード線が設けられ、
前記リード線と前記通信手段の間には、防磁手段が設けられることを特徴とする請求項２〜請求項５に記載の電位掃除機。
【請求項７】
前記手元ハンドル体は、塵埃を含む気流の風路となる管体と、該管体から分岐し把持部を形成する分岐部を有し、
前記分岐部には操作スイッチが実装された操作基板が設けられ、前記通信手段は前記操作基板に実装されることを特徴とする請求項１に記載の電気掃除機。
【請求項８】
前記手元ハンドル体は、前記管体上面を被う上面カバーを有し、
前記通信手段は、前記管体の上面に載せられ、上方より前記上面カバーで被うことにより取り付けられることを特徴とする請求項７に記載の電気掃除機。
【発明の詳細な説明】
【技術分野】
【０００１】
本発明は、手元ハンドル体を有する電気掃除機に関するものである。
【背景技術】
【０００２】
従来からキャニスタータイプの電気掃除機において、被清掃面から集塵した塵埃を含む気流が流れる管体と、この管体から離れた位置に、使用者が握る部位である把持部を設けた手元ハンドルがある（例えば、特許文献１参照）。
【先行技術文献】
【特許文献】
【０００３】
【特許文献１】特開２０１３−０００４３７号公報（図４）
【発明の概要】
【発明が解決しようとする課題】
【０００４】
このような従来の電気掃除機の手元ハンドル体は、手元操作スイッチが設けられ、このスイッチを操作することにより、電動送風機の出力を変化させることができるが、外部の機器に対して情報を発信する手段が無い。
従って、電気掃除機の状態等を詳しく表示するためには、新たに液晶表示機等の表示手段を設ける必要がある。また、電気掃除機を使用することにより得られた情報を、より高度な処理を行える機器で用いることができないため、電気掃除機の使い勝手の向上に限界があった。
【０００５】
本発明は、上記のような課題を解決する為になされたもので、外部の機器と情報の送受信を行うことが可能な手元ハンドル体を有する電気掃除機を提供することを目的とする。
【課題を解決するための手段】
【０００６】
上記の課題を解決するには、内部に電動送風機を設けた本体と、一端が前記本体に接続される吸引ホースと、この吸引ホースの他端に取り付けられる手元ハンドル体を有する電気掃除機において、手元ハンドル体には、外部機器と非接触で通信を行う通信手段が設けるように構成すればよい。
【発明の効果】
【０００７】
本発明によれば、外部の機器と情報の送受信を行うことが可能な手元ハンドル体を有する電気掃除機を得ることができる。
【図面の簡単な説明】
【０００８】
【図１】実施の形態１に係る電気掃除機の全体斜視図
【図２】実施の形態１に係る電気掃除機の吸込口体からホースに至る部位の左側面図
【図３】実施の形態１に係る電気掃除機の手元ハンドル体の左後方から見た斜視図
【図４】実施の形態１に係る電気掃除機の手元ハンドル体の左側面図
【図５】実施の形態１に係る電気掃除機の手元ハンドル体の縦断面図
【図６】実施の形態１に係る電気掃除機の手元ハンドル体の分解斜視図Ａ（上カバーのみ分解）
【図７】実施の形態１に係る電気掃除機の手元ハンドル体の分解斜視図Ｂ
【図８】実施の形態１に係る電気掃除機の手元ハンドル体の一部分解斜視図
【図９】実施の形態１に係る電気掃除機の手元ハンドル体の左側面図（左側面カバーを外した状態）
【図１０】実施の形態１に係る電気掃除機の手元ハンドル体を後方より見た図
【図１１】図９の手元ハンドル体４の一部分解図（右側面カバーを外した状態）
【図１２】実施の形態１に係る電気掃除機の手元ハンドル体を上方より見た図
【図１３】実施の形態１に係る電気掃除機の使用形態を示す左側面図
【図１４】実施の形態１に係る電気掃除機の使用形態を示す右側面図
【図１５】実施の形態１に係る電気掃除機のスタンド収納時の側面図
【図１６】実施の形態２に係る電気掃除機の手元ハンドル体の分解斜視図Ａ（上カバーのみ分解）
【図１７】実施の形態３に係る電気掃除機の手元ハンドル体の分解斜視図Ａ（上カバーのみ分解）
【発明を実施するための形態】
【０００９】
（実施の形態１）
以下、図１〜図１５参照して実施の形態１を説明する。
まず、図１〜図２を参照して、電気掃除機１について説明する。
図１は、実施の形態１における電気掃除機１を示す斜視図である。図２は、吸込口体６からホース３に至る部位の側面図である。
【００１０】
図１〜図２に示すように、電気掃除機１は、本体（掃除機本体）２、ホース３、手元ハンドル体４、延長管５、吸込口体６を備える。
吸込口体６は、下向きに形成された開口から、床面上のごみ（塵埃）を空気と一緒に内部に取り込む部位である。この吸込口体６の吸気側の端部には、次に説明する延長管５に接続する接続管６ａが設けられている。
【００１１】
次に延長管５は、後述する手元ハンドル体４に接続する集塵接続体の１つであり、全体として真直ぐな円筒状を呈する。延長管５の一端部は吸込口体６の接続管６ａに接続し、他端部は手元ハンドル体４に接続する。
使用者は、延長管５に設けられたボタン５ａの操作を行うことにより、吸込口体６を延長管５から取り外すことができる。
【００１２】
延長管５は、吸気側の端部にブラシ５ｃを備える。このブラシ５ｃは、吸込口体６を外した状態で被清掃面に接触させて使用するもので、延長管５の吸気側の開口周辺に移動可能である。
使用者は、延長管５の排気側の端部に設けられた伸縮ボタン５ｂを操作することにより、延長管５を伸縮させることができる。
【００１３】
ここでは、手元ハンドル体４に接続される集塵接続体の例として、延長管５について説明したが、この他に、先端が窄んだ形状に構成され狭い部分の塵埃を吸い取りやすく構成されたノズルや、先端に毛ブラシが植毛され隙間などの塵埃を書き出しやすく構成されたブラシ等も、集塵接続体である。
また、吸込口体６も、延長管５に取り付けることで、間接的に手元ハンドル体４に取り付けられることから集塵接続体である。
【００１４】
次に、手元ハンドル体４は、掃除を行う時に使用者が持つ部分であり、操作体となる部位である。使用者は、手元ハンドル体４を持ち、この手元ハンドル体４を操作して、集塵接続体を被清掃面に向けて落ちている塵埃を吸引する。
例えば、本実施の形態の場合、使用者は、手元ハンドル体４を操作して、延長管５に取り付けた吸込口体６の位置及び向きを変える。手元ハンドル体４の吸気側の端部（吸込み側開口４１）は、延長管５の排気側端部に接続する。
使用者は、手元ハンドル４に設けられた解除ボタン４ａを操作することにより、延長管５を手元ハンドル体４から取り外すことができる。手元ハンドル体４は、吸気側の端部に、延長管５を取り外した状態で使用するためのブラシ４００を備える。
【００１５】
次に、ホース３は、要部が、可撓性を備えた蛇腹状である中空の部材からなる。ホース３の吸気側の端部は、手元ハンドル体４に接続される。ホース３は、排気側の端部は、硬質の接続部３ａを備え、この接続部３ａが本体２に接続される。
本体２は、ホース３の接続部３ａが接続され、ごみを含む空気（含塵空気）からごみを分離する。この本体２は、後部に開口する排気口（図示せず）より、塵埃が取り除かれた空気（清浄空気）を排出する。空気から分離したごみは、本体２の内部に溜められる。
以上のように各部が接続されることで、吸込口体６や延長管５などの集塵接続体から、手元ハンドル体４、ホース３、そして、本体２へと至る一続きの風路Ｆが形成される。
【００１６】
次に、本体２は内部に、電動送風機１１、集塵部１２を備える。
電動送風機１１は、電気掃除機１に形成された風路Ｆに、吸込み側である集塵接続体から排気側である排気口に向けて本体２内部に流下する気流を発生させる。
この電動送風機１１が吸引動作を行うと、床面上のごみが空気と一緒に吸込口体６に吸い込まれる。吸込口体６に吸い込まれた含塵空気は、吸込口体６、延長管５、手元ハンドル体４、ホース３の各内部を通り、本体２に送られる。
【００１７】
集塵部１２は、本体２の内部に流入したごみを空気（気流）から分離する。集塵部１２は、空気から分離したごみを捕捉する。図１は、集塵部１２の一例として、紙パック式の分離装置を示している。集塵部１２として、サイクロン式の分離装置や他の方式の分離装置を採用してもよい。
【００１８】
また、本体２は、両側に大型の車輪１３を、下面に小型の車輪（図示せず）を備える。小型の車輪は、その向きを自在に変えることができるように取り付けられている。このため、本体２は、車輪１３及び小型の車輪が床面に接触した状態で向きを変えることができる。
【００１９】
次に、本実施の形態の要部である手元ハンドル体４について、図３〜図１３を参照して説明する。
図３〜図５を参照すると、手元ハンドル体４は、風路Ｆの一部を構成し基部となる管体４０と、この管体４０から分岐するように設けられる分岐部４４と、管体４０と分岐部４４の外郭を被う各カバー４８から構成される。
管体４０は、吸気側開口４１から排気側方向に向けて直線的に伸び、中ほどの位置（曲がり位置４３）から下斜め後ろ方向に折れ曲がり排気側開口４２に向けて直線的に伸びる形状を成している。
【００２０】
管体４０の曲がり位置４３の後ろ側の上方には、分岐部４４が設けられる。つまり、管体４０は、吸気側開口４１からら分岐部４４に至る部分は、真直ぐな形状をなしている。
分岐部４４は、管体４０の上面の分岐位置４５から上斜め後方に向けて延びる分岐前部４４ａと、この分岐前部４４ａの後ろ側から湾曲して下斜め後方に延び分岐後端４４ｃに至る分岐後部４４ｂから成り、分岐位置４５から分岐後端４４ｃに掛けてアーチ形状を成している。
尚、管体４０と分岐部４４は、樹脂成形により一体に形成されている。
【００２１】
そして、図５〜図８を参照すると、分岐前部４４ａの上面には、管体４０と分岐部４４の分岐している位置から分岐前部４４ａの後端に掛けて、左右一対の壁部４４ｅが形成されている。
そして、この左右の壁面４４ｅの間には、上面凹部４４ｇが形成される。この上面凹部４４ｇは、上方に向けて開口しており、凹部内部に、電動送風機のＯＮ／ＯＦＦや出力の変更を行う操作スイッチ４６ａや、手元ハンドル体４の動きや振動を検知するモーションセンサー４６ｂを実装した操作基板４６が設けられる。
【００２２】
また、左右の壁面４４ｇには、それぞれ、後述する上カバー４８ａの係合爪が係合する第１の係合開口４４ｈと、後述する左右カバー４８ｂ，４８ｃの係合爪４８２ｂ，４８２ｃが係合する第２の係合開口４４ｉが形成されている。
また、吸気側開口４１から分岐部４４に至る管体４０の上面に形成された通信手段搭載位置４０ｄには、非接触で外部端末Ｓとの通信を行う通信手段４７と、吸気側開口４１に接続された集塵接続体を外す解除ボタン４ａが設けられる。
この操作基板４６は、本体２に設けられた電気掃除機１の各部を制御する制御手段（図示せず）に電気的に接続され、信号を制御手段に出力する
【００２３】
このように、吸気側開口４１から分岐部４４に至る管体４０の上面に通信手段搭載位置４０ｄを形成することで、手元ハンドル体４を落とした場合、又は、後述するスタンド収納時に倒れた場合に、分岐部４４が先に床面に衝突するので、通信手段搭載位置４０ｄに搭載された通信手段４７に、直接衝撃が及ばない。
つまり、分岐部４４が衝撃を受け止めるバンパーの役割を果たすことができる。
【００２４】
（通信手段について）
次に、通信手段４７は、印刷配線基板４７ａ（以下、基板４７ａ）と、この基板４７ａにコイル状の配線パターンとして形成された通信アンテナ４７ｂと、この通信アンテナ４７ｂに接続し外部の端末との間で送受信するデータを記憶するＩＣチップ（半導体集積回路）４７ｃと、この通信手段４７と操作基板４６等の外部の部品とを接続する位置となるコネクタ４７ｄを有する。
また、基板４７ａには、後述する通信手段搭載位置４０ｄでの位置決めのための位置決め開口４７ｅが開口している。
【００２５】
コネクタ４７ｄは、接続部が凹形状である雌コネクタ（ソケットコネクタ）であり、基板４７ａの通信アンテナ４７ｂが形成されている面とは反対側の面に設けられている。
そして、通信手段４７は、基板４７ａの通信アンテナ４７ｂが形成されている面を外方に向けて、手元ハンドル体４に設けられる。
【００２６】
本実施の形態において、通信手段４７は、操作基板４６と電気的に接続し、操作基板４６に設けられたモーションセンサー４６ｂのデータをＩＣチップ４７ｃに記録するものである。
また、通信手段４７を、制御手段と直接又は操作基板４６を介して間接的に接続して、電気掃除機の使用時間や各部の電流値・電圧値など、様々な情報をＩＣチップ４７ｃに記録するように構成しても良い。
以上説明した通信手段４７は、コイル状の通信アンテナ４７ｂを介して、ＩＣチップ４７ｃに記憶した情報を、電波や電磁誘導、磁気結合により非接触で外部端末Ｓと通信を行う、いわゆるＩＣタグと呼ばれるものである。
【００２７】
（通信手段搭載位置について）
次に、この通信手段４７が設けられる通信手段搭載位置４０ｄは、管体４０の吸気側開口４１からら分岐部４４に至る上面に立設する仕切り壁４０１ｄにより仕切られた部分となる。この部分の管体４０は、上記の通り真直ぐな形状を成している。
仕切り壁４０１ｄは、手元ハンドル体４を上方から見て、矩形状を成して管体４０の上面に立設しており、後方部分に切り欠き部４０２ｄが形成されている。
【００２８】
また、通信手段搭載位置４０ｄとなる仕切り壁４０１ｄの内側には、通信手段４７の位置を決める位置決め凸部４０３ｄが管体４０の上面より突出して設けられている。
この他に、仕切り壁４０１ｄの内側には、通信手段４７が、管体４０が伸びる方向と平行となるように、通信手段４７を支えるリブ４０１ｅが突出して設けられている。
【００２９】
このように形成された通信手段搭載位置４０ｄには、位置決め凸部４０３ｄを位置決め開口４７ｅに挿入した状態で、仕切り壁４０１ｄの内方に通信手段４７が収められる。
このように通信手段搭載位置４０ｄに通信手段４７が収められた状態において、仕切り壁４０１ｄの内側から外側に向けて、切り欠き部４０２ｄから通信手段４７と操作基板４６とを接続する配線が導出される。
また、仕切り壁４０１ｄの形状は、基板４７ａの外形状に沿った矩形状であり、基板４７ａを側方から保持する。また、通信手段４７は、下方からリブ４０１ｅで支えられ、側方から見て基板４７ａの面と管体４０とが平行となる。
【００３０】
次に、図６〜図９を参照すると、管体４０の側面には、管体４０の伸びる方向に帯状に突出した管体リブ４０ｂが形成されている。この管体リブ４０ｂは、分岐部４４が接続する位置の下側に位置しており、管体４０の剛性を高めるためのものである。
また、分岐部４４の側面には、管体４０から分岐前部４４ａの端に向けて帯状に突出して伸びる分岐部リブ４４ｊが形成されている。この分岐部リブ４４ｊは、分岐部４４の剛性を高めるためのものである。
そして、排気側開口４２には、ホース３の開口内部に管体４０を挿入することにより、ホース３が接続する。
【００３１】
次に、図６〜図８を参照すると、以上ように各部が構成された管体４０及び分岐部４４の外郭には、次の各カバー４８が取り付けられ手元ハンドル体４の外観を形成する。
カバー４８は、上カバー４８ａと、左側面カバー４８ｂと、右側面カバー４８ｃと、左後側面カバー４８ｄと、右後側面カバー４８ｅで構成されている。これらのカバーは、樹脂成形により形成されている。
【００３２】
まず、上カバー４８ａは、吸引側開口４１から分岐部４４の上面を被うカバーであり、解除ボタン４ａが臨むボタン開口４８１ａと、操作基板４６に実装された操作スイッチに対向する位置に操作スイッチ押圧部４８２ａが形成されている。
操作スイッチ押圧部４８２ａは、表面に電動送風機の出力を変化させる旨を意味する「矢印マーク」、「ＯＮ／ＯＦＦ」、「エコモード」等の表示がなされており、当該位置を使用者が押圧することで、対応する操作スイッチが押されて、制御手段に信号が発信される。制御手段はこれらの信号に基づき、電動送風機の出力を制御する。
【００３３】
このように構成された上カバー４８ａは、分岐部４４に形成された第１の係合開口４４ｈに係合爪４８３ａが係合する。
そして、上カバー４８ａに開口するねじ開口４８５ａに、上方よりねじ４８４ａを通して、分岐部４４の上面に形成されたねじ穴４４ｄにねじ止めすることにより、吸引側開口４１から分岐部４４の上面を被った状態で管体４０に取り付け固定される。
上カバー４８ａが上記の通り取り付けられた状態において、分岐後部４４ｂの下面４４１ｂと、この分岐後部４４ｂの上面を被う上カバー４８ａの上面４８６ａにより、使用者が握る位置となる第１の把持部４９ａが形成される。
【００３４】
ここで、上記の通り上カバー４８ａが取り付けられることで、上カバー４８ａは、管体４０の上面に設けられた通信手段４７を覆った状態となる。つまり、上カバー４８ａは通信手段４７を外部との接触から保護するカバーとなる。
また、この上カバー４８ａの吸込側開口４１から分岐部４４の上面を被う部分は、管体４０に沿った形状を成している。つまり、上カバー４８ａは、吸込側開口４１から分岐部４４に至る位置において、真直ぐな形状であり、管体４０の上面と平行となる。
【００３５】
従って、管体４０に設けられた通信手段４７の基板４７ａの通信アンテナ４７ｂが形成された面と、上カバー４８ａの上面が平行となる。
尚、上カバー４８ａの通信アンテナ４７ｂが対向する位置の上面側に、通信アンテナ４７ｂが位置する旨を示す通信位置マーク４８７ａが設けられている。
このように、凹凸や曲面ではないまっすぐな部分に通信手段４７を設けて通信位置を形成したので、通信を行う際に外部端末Ｓを通信アンテナ４７ｂに近づけやすい。
【００３６】
また、図１５に示すように、本体１に、ホース３、手元ハンドル体７、延長管５、吸込口体６を接続した状態で、本体１の後面１ａを床面Ｇに接するように下にして、本体１の底面１ｂに開口する底面開口１ｃに、延長管５に形成されたフック５ｄをかけることによりこの延長管を立てた状態で収納する、いわゆるスタンド収納状態の際に、手元ハンドル体４は、延長管５と接続されているので、吸込側開口４１から分岐部４４に至る管体４０も、床面Ｇに対して立った状態となる。
従って、通信位置が水平方向を向き、使用者が通信位置マーク４８７ａを認識しやすくなり、外部端末Ｓを通信位置に近づけやすい。
【００３７】
また、通信手段４７は、通信アンテナ４７ｂが形成された基板４７ａの面を上方（上面カバー４８ａの方向）に向けて管体４０に設けられる。従って、基板４７ａの通信アンテナ４７ｂが設けられている面とは反対の面に設けられたコネクタ４７ｄが、管体４０側を向くことになる。
【００３８】
つまり、基板４７ａの面から大きく突出する部品であるコネクタ４７ｄが、管体２０側を向き、通信アンテナ４７ｂが設けられた基板４７ａの面には、大きく突出するものが無いので、より基板４７ａを上カバー４８ａに近接して配置できる。
この結果、外部端末Ｓとの通信位置である通信位置マーク４８７ａの部分に、通信アンテナ４７ｂを近づけることができる。これにより、外部端末Ｓと通信アンテナ４７ｂとの通信距離を近づけることができ、より確実な通信を行うことができる。
【００３９】
次に、左側面カバー４８ｂは、管体４０の下面から左側面に至り、分岐前部４４ａの左側面を経て、分岐部４４の上面左側まで至る管体４０と分岐部４４を覆うカバーである。
この左側面カバー４８ｂの裏面には、複数の係合爪４８２ｂが設けられている。この係合爪４８２ｂが、管体４０の下面に設けられた管体係合開口４０ｃ、及び、分岐部４４に形成された第２の係合開口４４ｉに係合することにより、管体４０から分岐部４４に渡って取り付けられる。
【００４０】
この左側面カバー４８ｂは、管体４０の表面に取り付けられることから、管体４０の外面より左側面カバー４８ｂの厚みΔｄ１分、外側に突出した外郭を形成する。つまり、管体４０と左側面カバー４８ｂとの間に高さがΔｄ１の段差が形成される（図１１参照）。
【００４１】
ここで、左側面カバー４８ｂは、上カバー４８ａが分岐部４４に取り付けた後に取り付けられる。これにより、左側面カバー４８ｂの取り付け前に、第２の係合開口４４ｉから、操作基板４６の取り付け位置である凹部４４ｇを確認することができる。
つまり、第２の係合開口４４ｉは、操作基板４６が取り付けられたか否かを確認する開口として用いることができる。尚、この確認用の開口は、第２の係合開口４４ｉとは、別途形成しても良い。
【００４２】
次に、右側面カバー４８ｃは、管体４０の下面から右側面に至り、分岐前部４４ａの右側面を経て、分岐部４４の上面右側まで至る管体４０と分岐部４４を覆うカバーである。
この右側面カバー４８ｃの裏面には、複数の係合爪４８２ｃが設けられている。この係合爪４８２ｃが、管体４０の下面に設けられた管体係合開口４０ｃ、及び、分岐部４４に形成された第２の係合開口４４ｉに係合することにより、管体４０から分岐部４４に渡って取り付けられる。
【００４３】
この右側面カバー４８ｃは、管体４０の表面に取り付けられることから、管体４０の外面より右側面カバー４８ｃの厚みΔｄ１分、外側に突出した外郭を形成する。つまり、管体４０と右側面カバー４８ｃとの間に高さがΔｄ１の段差が形成される（図１１参照）。
【００４４】
ここで、右側面カバー４８ｃは、上カバー４８ａが分岐部４４に取り付けた後に取り付けられる。これにより、左側面カバー４８ｃの取り付け前に、第２の係合開口４４ｉから、操作基板４６の取り付け位置である凹部４４ｇを確認することができる。
つまり、第２の係合開口４４ｉは、操作基板４６が取り付けられたか否かを確認する開口として用いることができる。尚、この確認用の開口は、第２の係合開口４４ｉとは、別途形成しても良い。
【００４５】
以上の左側面カバー４８ｂと右側面カバー４８ｃは、互いに対称となる形状で構成されおり、これらを上記の通り取り付けることで、管体４０の下側と分岐部４４の上側の位置において、左側面カバー４８ｂと右側面カバー４８ｃが合わさる形状となっている。
従って、左右側面カバー４８ｂ，４８ｃが管体４０及び分岐部４４に取り付けられることで、管体４０及び分岐部４４の表面に形成された管体リブ４０ｂ及び分岐部４４を覆い隠し、手元ハンドル体４の一方の側面から他方の側面に連続的に至る外観意匠面を形成する。
【００４６】
以上の手元ハンドル体４において、上記の通り、管体４０及び分岐部４４と左右側面カバー４８ｂ，４８ｃを別部材にすることで、左右側面カバー４８ｂ，４８ｃに傷や汚れがついても、容易にカバーを交換することができる。
特に、手元ハンドル体４は後ろ端にホース３が設けられるので、手元ハンドル体４を落とした場合、床面と接触するのは左右側面カバー４８ｂ，４８ｃである可能性が高いことから、傷のついた側面カバーの交換のみで、傷やよごれに対応する修理が済む。
【００４７】
更に、左右側面カバー４８ｂ，４８ｃは、意匠面となる表面は急な曲面や角となる部位や開口が形成されていない緩やかな曲面であることから、フローマーク（成形不良）が起こり難い。従って、左右側面カバー４８ｂ，４８ｃを成形する際に、成形材料である樹脂に、意匠性を向上させる材料（例えば、光を反射して輝きを見せるメタリック材料（アルミ粉末）など）を練り込み成形する手法（以下、練りみ成形）を用いることができる。
これにより、成形時にフローマークが起こりやすい複雑な形状の部位を有する手元ハンドル体４であっても、樹脂成形で塗装に近い質感である外観意匠を得ることができる。
【００４８】
また、この左右側面カバー４９ｂ，４８ｃをエラストマー等の軟質部材で構成すれば、手元ハンドル体４を落下させたとき、手元ハンドル体４が受ける衝撃を和らげることができる。
【００４９】
また、図１１を参照すると、分岐部４４の上側の合わせ位置において、左側面カバー４８ｂと右側面カバー４８ｃの合わせ位置の下側には、分岐部４４の上面に形成されたねじ穴４４ｄが位置している。
つまり、左側面カバー４８ｂと右側面カバー４８ｃが上記の通り取り付けられることで、ねじ穴４４ｄ及びねじ穴に位置するねじ４８４ａを、外側から見えないように被い隠すことができる構成となっている。
【００５０】
次に、左後側面カバー４８ｄは、排気側開口４２の後ろ側から分岐位置４５に至る部分を左方向から被うカバーである。また、右後側面カバー４８ｅは、排気側開口４２の後ろ側から分岐位置４５に至る部分を右方向から被うカバーである。
これら左後側面カバー４８ｄと右後側面カバー４８ｅは、互いに対称となる形状で構成されている。そして、左後側面カバー４８ｄと右後側面カバー４８ｅは、ホース３の内部に排気側開口４２を挿入して管体４０にホース３を取り付けた状態で、管体４０を左右方向から挟み込み、管体４０に取り付けられる。
【００５１】
上記のように、左後側面カバー４８ｄと右後側面カバー４８ｅは、左右方向から合わさり係合することで、筒状のホース押さえ部４８ｄｆと、この筒状のホース押さえ部４８ｄｆから前方に延びる第１の接続部４８ｄｆａと、ホース押さえ部４８ｄｆから後方に伸びる第２の接続部４８ｄｆｂが形成される。
【００５２】
ホース３は、ホース押さえ部４８ｄｆと管体４０に挟み込まれて、管体４０から外れないように固定される。
また、第１の接続部４８ｄｆａは、管体４０に形成された分岐部４５から管体４０の排気側開口４２の縁に至る凹部４０ａに入り込み固定され、表面が管体４０の外面と連続的に滑らかにつながる。
また、第２の接続部４８ｄｆｂは、分岐部４４の分岐後端４４ｃを、左後側面カバー４８ｄと右後側面カバー４８ｅで左右方向から挟み込み、分岐部４４と接続する。
【００５３】
また、第１の接続部４８ｄｆａが取り付けられた管体４０と第１の接続部４８ｄｆａで構成される部位の外径は、ホース押さえ部４８ｄｆの外径より小さいことから、両方の部位との間で段差Δｄ２が形成される。
尚、ホース押さえ部４８ｄｆの前側を窄む形状（窄み部４８ｄｆｃ）とすることで、管体４０と第１の接続部４８ｄｆａで構成される部位とホース押さえ部４８ｄｆとの外径の差から生じる段差Δｄ２をなめらかにつないでいる（図１１参照）。
【００５４】
このように構成された手元ハンドル体４の分岐位置４５の近傍には、使用者が握る位置となる第２の把持部４９ｂが形成される。この第２の把持部４９ｂは、手元ハンドル体４の左右側面カバー４８ｂ，４８ｃの後ろ側からホース押さえ部４８ｄｆに至る部位である（図１網掛け部分）。
【００５５】
以上のように、手元ハンドル体４には、第１の把持部４９ａと第２の把持部４９ｂが設けられる。
第１の把持部は管体４０から離れて位置しているので、集塵接続体が設けられた手元ハンドル体４の操作を軽い力で行うことができる。更に、第２の把持部は管体４０に近い位置に設けられているので、管体４０に取り付けられる集塵接続体に、より近い位置で操作を行うことができ、集塵接続体を塵埃が落ちている位置に合わせやすい。
【００５６】
更に、図１０〜図１４を参照すると、上記のように第２の把持部４９ｂの周囲を構成することで、使用者が第２の把持部４９ｂを握った状態で、手元ハンドル体４を前方に押したとき、左右側面カバー４８ｂ，４８ｃと管体４０との間には、段差Δｄ１が形成されているので、握った指が左右側面カバー４８ｂ，４８ｃの後面４８１ｂ，４８１ｃに接触することで、前方へのストッパーとなる。
【００５７】
特に、左右側面カバー４８ｂ，４８ｃの後面４８１ｂ，４８１ｃは、管体４０に対して後方に傾く斜め形状となっているので、使用者が第２の把持部４９ｂを握った際に、指と後面４８１ｂ，４８１ｃが面で接触しやすい。
これにより、手からの力を手元ハンドル体４にあずけやすく、操作がしやすい。
【００５８】
更に、使用者が第２の把持部４９ｂを握った状態で、手元ハンドル体４を後方に引くとき、ホース押さえ部４８ｄｆと第２の把持部４９ｂである管体４０との間には、段差Δｄ２が形成されているので、手がホース押さえ部４８ｄｆ（窄み部４８ｄｆｃ）に接触して、後方へのストッパーとなる。
【００５９】
更に、第２の把持部４９ｂは分岐位置４５の近傍に位置しているので、使用者が第２の把持部４９ｂを握った際に、管体４０と分岐部４４の隙間の位置に手が入ることになる。これにより、分岐部４４の下面が手の上面を保持することができ、手元ハンドル体４の操作がよりしやすくなる。
【００６０】
また、図４、図１５を参照すると、以上のように手元ハンドル体４に通信手段４７を設けることで、次のように外部端末Ｓと容易にデータの送受信を行うことが可能な電気掃除機を構成できる。
通信手段４７に近接して用いる外部端末Ｓは、情報読取りモードの際には、上記の通信手段４７に対して電波を発信して、通信可能に構成されるものが用いられる。例えば、電気掃除機に対応した専用端末や、携帯電話や多機能情報端末（いわゆる、スマートフォン）等、インターネットなどに接続可能な端末を用いてもよい。
【００６１】
このような外部端末Ｓを通信位置である通信位置マーク４８７ａに近接させることで、各部は次のように動作して通信を行う。
まず、外部端末Ｓを通信手段４７から情報を読取る情報読取りモードが起動させ、通信手段に対して電波を発する状態とする。そして、外部端末Ｓを通信位置マーク４８７ａに近接させて、この外部端末Ｓが発する電波が、通信アンテナ４７ｂに鎖交することで、通信手段４７が外部端末Ｓの接近を検知し、ＩＣチップ４７に書き込まれた電子データを電波で送信する。
外部端末Ｓは、この通信アンテナ４７ｂが発する電波を受信することで、ＩＣチップ４７に書き込まれたデータを得ることができる。
【００６２】
ここで、通信手段４７が電波を発する際に用いる電力は、電気掃除機の電源から供給される電力を用いるか、また、外部端末Ｓが発する電波が通信アンテナ４７ｂに鎖交することで生じる起電力を用いてもよい。
外部端末Ｓが発する電波が、通信アンテナ４７ｂに鎖交することで生じる起電力を用いれば、電気掃除機が外部電源に接続していなくても、外部端末Ｓとの間で通信を行うことが可能である。
【００６３】
尚、本実施の形態では、ＩＣチップ４７は、モーションセンサー４６ｂが検知した手元ハンドル体４の動きのデータ（モーションデータ）を記憶し、外部端末Ｓはこのデータを取得するものである。この外部端末Ｓには、このデータを解析するアプリケーションが組み込まれている。
【００６４】
外部端末Ｓに組み込まれるアプリケーションの例として、
（１）予め外部端末Ｓに入力された使用者固有のデータ（体重、性別、年齢、等）と、電気掃除機から取得したモーションデータに基づき、電気掃除機を使用している際（つまり掃除中）の使用者の運動量を求めるもの。
（２）通信手段４７が制御手段と接続していれば、電気掃除機の運転時間や、電気掃除機各部の電流・電圧値に基づき、使用状況を解析してメンテナンス情報を報知するもの。
などがある。
【００６５】
この他、外部端末Ｓに記憶されているデータを、通信手段４７を介して、電気掃除機側に取り込むように用いることも可能である。
外部端末Ｓから電気掃除機が取得したデータを用いる例として、例えば、外部端末Ｓから電動送風機の制御ソフトウエアを取り込むことで、容易にソフトウエアの更新・変更を行うことができる。特に、外部端末Ｓがインターネット等のネットワークに接続可能であれば、更新・変更ソフトウエアを容易に取得することができる。
【００６６】
（実施の形態２）
次に、実施の形態２を説明する。
本実施の形態では、実施の形態１との相違点を中心に説明し、実施の形態１と同一の構成には同一の符号を付し説明を省略する。
図１６を参照すると、手元ハンドル体４の吸込側には、延長管５を介して吸込口体６が接続可能である。この吸込口体６には、回転ブラシ６ｂと、該回転ブラシ６ｂを回転駆動するブラシ用電動機６ｃが設けられる。
【００６７】
管体４０には、吸込側開口４１から分岐部４４に至る上面であって、通信手段搭載位置４０ｄとなる仕切り壁４０１ｄの内側に、ブラシ用電動機６ｃに電力を供給するリード線５１が通っている。
このリード線５１は、本体１に設けられた電源部（図示せず）と接続しており、１００Ｖの交流電流が流れる。
【００６８】
そして、リード線５１から放出されるノイズの拡散を防ぐ防磁手段５０が、リード線５１の上方に設けられ、この防磁手段５０の上方に通信手段４７が設けられる。つまり、リード線５１と通信手段４７の間には、防磁手段５０が位置する。
防磁手段５０は、シート状又は板状のものであり、電磁的なノイズや電磁波を通さない成分（例えば、鉄、ニッケル、フェライト等）を有するものである。
【００６９】
以上のように、リード線５１と通信手段４７の間には、防磁手段５０を設けることにより、リード線５１から放出されるノイズが、通信手段４７に及ばないように構成できる。
これにより、通信手段４７と外部端末Ｓとの間で行われる通信の際に、リード線５１から放出されるノイズによる影響を低下させることができる。
【００７０】
（実施の形態３）
次に、実施の形態３を説明する。
本実施の形態では、実施の形態１との相違点を中心に説明し、実施の形態１と同一の構成には同一の符号を付し説明を省略する。
図１７を参照すると、分岐前部４４ａの上面には、管体４０と分岐部４４の分岐している位置から分岐前部４４ａの後端に掛けて、左右一対の壁部４４ｅが形成されている。この左右の壁面４４ｅの間には、上面凹部４４ｇが形成されており、この上面凹部４４ｇは、上方に向けて開口している。
【００７１】
そして、凹部内部には、電動送風機のＯＮ／ＯＦＦや出力の変更を行う操作スイッチ５２ａや、手元ハンドル体４の動きや振動を検知するモーションセンサー５２ｂや、コイル状の配線パターンとして形成された通信アンテナ５２ｃと、この通信アンテナ５２ｃに接続し外部の端末との間で送受信するデータを記憶するＩＣチップ（半導体集積回路）５２ｄが実装されている印刷配線基板５２が設けられている。この印刷配線基板５２は、操作手段と通信手段が一枚の基板に実装されたものである。
【００７２】
以上のように、操作手段と通信手段を構成する各部を、一つの基板上に実装することにより、操作手段と通信手段をつなぐリード線の削除や、手元ハンドル体４の基板の搭載位置を削減することが可能となる。
【符号の説明】
【００７３】
１  電気掃除機、２  本体、３  ホース、４  手元ハンドル体、５  延長管（集塵接続体）、６  吸込口体、４０  管体、４１  吸気側開口、４２  排気側開口、４４  分岐部、４５  分岐位置、４６  基板、４７  通信手段、４８  カバー、４９ａ  第１の把持部、４９ｂ  第２の把持部、Ｓ  外部端末。
【図１】
2015146957.tif 000003
【図２】
2015146957.tif 000004
【図３】
2015146957.tif 000005
【図４】
2015146957.tif 000006
【図５】
2015146957.tif 000007
【図６】
2015146957.tif 000008
【図７】
2015146957.tif 000009
【図８】
2015146957.tif 000010
【図９】
2015146957.tif 000011
【図１０】
2015146957.tif 000012
【図１１】
2015146957.tif 000013
【図１２】
2015146957.tif 000014
【図１３】
2015146957.tif 000015
【図１４】
2015146957.tif 000016
【図１５】
2015146957.tif 000017
【図１６】
2015146957.tif 000018
【図１７】
2015146957.tif 000019